(57)【要約】      （修正有）【課題】特に使用しないときには容易に折り畳めると共にコンパクトにすることができる前開き折り畳み式のゴミ収納箱を提供する。【解決手段】正面左枠３は側面左枠５とを正面左枠３の左部材３ｂと側面左枠５の左部材５ｂとを２か所に設けたヒンジ７を介して回動自在に連結している。正面右枠２は側面右枠４とを正面右枠２の右部材２ｃと側面右枠４の右部材４ｃとを２か所に設けたヒンジ７を介して回動自在に連結している。背面枠６は側面左枠５と側面右枠４とをそれぞれヒンジを介して連結している。側面枠６の上部材６ａは正方形の木材を使用して側面左枠５の上部材５ａと同じ高さの位置にある。また、背面枠６の上部材６ａは側面右枠４の上部材４ａとも同じ高さの位置にある。【選択図】図１
0003192264.tif 000002
【実用新案登録請求の範囲】
【請求項１】
正面枠Ｌと正面枠Ｒを側面枠Ｌと側面枠Ｒにヒンジを介して回動可能に連結し、該側面枠Ｌと該側面枠Ｒを背面枠にヒンジを介して回動可能に連結し、前記正面枠Ｌと前記正面枠Ｒを折り畳み時に前記側面枠Ｌと前記側面枠Ｒの内側に位置されるとともに該側面枠Ｌと該側面枠Ｒに設けた係止部材で係止させ前記背面枠内に収納し、且つ開き状態の時には前記正面枠Ｌと前記正面枠Ｒを係止連結する四角形の箱部材と該箱部材の背面枠に回動部材を介して回動可能に設けてなる上面枠とからなることを特徴とする前開き折り畳み式ゴミ収納箱
【請求項２】
前記上面枠を背面枠と側面枠の少なくとも一方の上面に載置したことを特徴とする請求項１記載の前開き折り畳み式ゴミ収納箱
【請求項３】
前記回動部材を背面枠の後方に該背面枠の厚さ以上の隙間を有して回動軸を設け背面枠に上面枠を並設させるように回動可能としたことを特徴とする請求項１記載の前開き折り畳み式ゴミ収納箱
【請求項４】
前記背面枠の回動軸を丸形部材として枠部材と兼用したことを特徴とする請求項３記載の前開き折り畳み式ゴミ収納箱
【請求項５】
前記背面枠の下部の枠厚さを上部と比較して薄肉形状にしたことを特徴とする請求項１記載の前開き折り畳み式ゴミ収納箱
【請求項６】
前記正面枠と前記側面枠と前記背面枠を角形としたことを特徴とする請求項１記載の前開き折り畳み式ゴミ収納箱
【請求項７】
前記角形を正方形としたことを特徴とする請求項６記載の前開き折り畳み式ゴミ収納箱
【考案の詳細な説明】
【技術分野】
【０００１】  本考案は折り畳み式のゴミ収納箱に関して、特に使用しないときには容易に折り畳めると共にコンパクトにすることができる前開き折り畳み式のゴミ収納箱に関するものである。
【背景技術】
【０００２】ゴミ箱の４周部と上部を囲むように設けた枠体の内部に上面枠を開閉してゴミを投入可能にした折り畳み自在なゴミ箱がある。
【先行技術文献】
【特許文献】
【０００３】
【特許文献１】  特開２００５−２２８０８号  公報
【考案の概要】
【考案が解決しようとする課題】
【０００４】ところが、前記従来のゴミ箱においては、それを使用する状態から不使用状態の折り畳みでの重ね合わせることでコンパクトにしているものの、各枠部材を並列状態に重ね合わせただけのものである。
不使用状態の重ね合わせの厚さを極力少なくすることが望まれていた。
更に、ゴミの収納や回収の時には上面枠の開閉だけではなく、正面枠を開閉可能とすることでのゴミの収納と回収が上面と正面から容易にできるという便利さも望まれていた。
【課題を解決するための手段】
【０００５】本考案は、前開き折り畳み式ゴミ収納箱に関するもので、請求項１の考案は
正面枠Ｌと正面枠Ｒを側面枠Ｌと側面枠Ｒにヒンジを介して回動可能に連結し、該側面枠Ｌと該側面枠Ｒを背面枠にヒンジを介して回動可能に連結し、前記正面枠Ｌと前記正面枠Ｒを折り畳み時に前記側面枠Ｌと前記側面枠Ｒの内側に位置されるとともに該側面枠Ｌと該側面枠Ｒに設けた係止部材で係止させ前記背面枠内に収納し、且つ開き状態の時には前記正面枠Ｌと前記正面枠Ｒを係止連結する四角形の箱部材と該箱部材の背面枠に回動部材を介して回動可能に設けてなる上面枠とからなることを特徴とする。【０００６】請求項２の考案は前記上面枠を背面枠と側面枠の少なくとも一方の上面に載置したことを特徴とする。【０００７】請求項３の考案は前記回動部材を背面枠の後方に該背面枠の厚さ以上の隙間を有して回動軸を設け背面枠に上面枠を並設させるように回動可能としたことを特徴とする。【０００８】請求項４の考案は前記背面枠の回動軸を丸形部材として枠部材と兼用したことを特徴とする。【０００９】請求項５の考案は前記背面枠の下部の枠厚さを上部と比較して薄肉形状にしたことを特徴とする。【００１０】請求項６の考案は前記正面枠と前記側面枠と前記背面枠を角形としたことを特徴とする。【００１１】請求項７の考案は前記角形を正方形としたことを特徴とする。
【考案の効果】
【００１２】請求項１の考案は  正面枠Ｌと正面枠Ｒを側面枠Ｌと側面枠Ｒにヒンジを介して回動可能に連結し、該側面枠Ｌと該側面枠Ｒを背面枠にヒンジを介して回動可能に連結し、前記正面枠Ｌと前記正面枠Ｒを折り畳み時に前記側面枠Ｌと前記側面枠Ｒの内側に位置されるとともに該側面枠Ｌと該側面枠Ｒに設けた係止部材で係止させ前記背面枠内に収納し、且つ開き状態の時には前記正面枠Ｌと前記正面枠Ｒを係止連結する四角形の箱部材と該箱部材の背面枠に回動部材を介して回動可能に設けてなる上面枠とからなることとしたので、正面枠Ｌと正面枠Ｒを背面枠内に収納した分だけ折り畳み時の厚さが薄くなりその分コンパクトとなり、更に正面枠と側面枠と背面枠が係止されるので開き防止となる効果がある。【００１３】請求項２の考案は前記上面枠を背面枠と側面枠の少なくとも一方の上面に載置したこととしたので、上面枠の開閉におけるストッパーが兼用できるので部品の共用化が図れて安価なゴミ箱を提供できる。【００１４】請求項３の考案は前記回動部材を背面枠の後方に該背面枠の厚さ以上の隙間を有して回動軸を設け背面枠に上面枠を並設させるように回動可能としたこととしたので、折り畳み時における上面枠の回動をスムーズにするとともに背面枠に重ね合わせることが容易に行える。【００１５】請求項４の考案は前記背面枠の回動軸を丸形部材として枠部材と兼用したこととしたので、部品の共有化が図れるので安価にできる。【００１６】請求項５の考案は背面枠の下部の枠厚さを上部と比較して薄肉形状にしたので、正面枠と床との距離を近くに設定できるのでゴミの排出を防止すると共に小動物などの侵入を阻止することができる。【００１７】請求項６の考案は前記正面枠と前記側面枠と前記背面枠を角形としたのでヒンジの取り付けが容易となるとともに底面との隙間を少なくできるのでゴミが外に出ることを防止できる。【００１８】請求項７の考案は前記正面枠と前記側面枠と前記背面枠を正方形としたので、組み立てにおける枠の向きを考慮する必要もないので作業性が向上する。
【図面の簡単な説明】
【００１９】
【図１】前開き折り畳み式ゴミ収納箱の斜視図である。
【図２】ゴミ収納箱の正面枠開き時平面図である。
【図３】ゴミ収納箱の折り畳み時側面図である。
【図４】ゴミ収納箱の側面枠開き時の側面図である。
【図５】ゴミ収納箱の使用時の側面図である。
【図６】ゴミ収納箱の正面枠折り畳み開始時の図である。
【図７】ゴミ収納箱の正面枠を折り畳みした状態図である。
【図８】ゴミ収納箱の正面枠と側面枠を折り畳みの途中段階の図である。
【図９】ゴミ収納箱の折り畳み完了時の平面図である。
【図１０】ゴミ収納箱の折り畳み時の正面図である。
【図１１】ゴミ収納箱の上面枠を背面枠に回動可能に取り付ける回動部材の平面図である。
【図１２】ゴミ収納箱の上面枠を背面枠に回動可能に取り付ける回動部材の側面図である。
【図１３】ゴミ収納箱の背面枠に取り付ける回動軸の受け部材の平面図である。
【図１４】ゴミ収納箱の背面枠に取り付ける回動軸の受け部材の側面図である。
【考案を実施するための形態】
【実施例】
【００２０】図１に示すゴミ箱はゴミ箱の斜視図であり、正面左枠３と正面右枠２と側面左枠５と側面右枠４とそれぞれヒンジ７を介して回動自在に連結している。
正面左枠は正方形の木材を使用して、上部材３ａと左部材３ｂと右部材３ｃと下部材３ｄを木工ボンドを塗布した後にねじ釘で四角形に結合している。
正面右枠は正方形の木材を使用して、上部材２ａと左部材２ｂと右部材２ｃと下部材２ｄを木工ボンドを塗布した後にねじ釘で四角形に結合している。
正面左枠３と正面右枠２とは同一形状の枠形状となっている。
側面左枠５は正方形の木材を使用して、上部材５ａと左部材５ｂと右部材５ｃと下部材５ｄを木工ボンドを塗布した後にねじ釘で四角形に結合している。側面左枠５は正方形の木材を使用して、上部材５ａと左部材５ｂと右部材５ｃと下部材５ｄを木工ボンドを塗布した後にねじ釘で四角形に結合している。側面右枠４は正方形の木材を使用して、上部材４ａと左部材４ｂと右部材４ｃと下部材４ｄを木工ボンドを塗布した後にねじ釘で四角形に結合している。【００２１】正面左枠３は側面左枠５とを正面左枠３の左部材３ｂと側面左枠５の左部材５ｂとを２か所に設けたヒンジ７を介して回動自在に連結している。
正面右枠２は側面右枠４とを正面右枠２の右部材２ｃと側面右枠４の右部材４ｃとを２か所に設けたヒンジ７を介して回動自在に連結している。
背面枠６は側面左枠５と側面右枠４とをそれぞれヒンジを介して連結している。
側面枠６の上部材６ａは正方形の木材を使用して側面左枠５の上部材５ａと同じ高さの位置にある。また、背面枠６の上部材６ａは側面右枠４の上部材４ａとも同じ高さの位置にある。【００２２】背面枠６の左部材６ｃと右部材６ｂとを上部材６ａの下面側に木工ボンドを塗布した後にねじ釘で結合している。
背面枠６の左部材６ｃと右部材６ｂで形成する内側幅は正面左枠３と正面右枠２の外側幅の合計よりも同等以上としたので正面左枠３と正面右枠２は折り畳み時に背面枠６の幅内に収納されることになる。
背面枠６の下部材６ｄは金属の薄板のＬ字形状に形成し、正面左枠３と正面右枠２のそれぞれの下部材３ｄと下部材２ｄを収納するようにした。
したがって、正面左枠３と正面右枠２の下部材を床面近くに位置させるようにすることができるので、ゴミ箱の収納状態に組み立てた時にはゴミの流出や小動物の侵入などを防止できる。【００２３】尚、背面枠の下部材６ｄはステンレス材またはアルミニューム合金で製作することで錆びにくいものとして長期間使用できる。
上面枠８は正方形の木材を使用して前部材８ａと左部材８ｃと右部材８ｂと後部材８ｄを木工ボンドを塗布した後にねじ釘で結合して左右幅が大きい長方形として形成した。
上面枠８を背面枠６に回動部材１０と回動軸受け部材１１を取り付けて回動可能にした。【００２４】正面枠右枠２と正面左枠３を係止部材９で係止することにより四角形のゴミ収容の空間部を形成することができる。
係止部材は正面右枠２に回動自在な板状の金属板を固定して、正面左枠３にはＬ字状の凹部を形成した受け部にて形成している。【００２５】図２はゴミ収納箱の正面枠開き時平面図である。
正面右枠の上部材２ａと正面左枠の上部材３ａとが横方向に並設されている。正面右枠の上部材２ａの後方には側面右枠の上部材４ａがヒンジ７で回動自在に連結されている。正面左枠の上部材３ａの後方には側面左枠の上部材５ａがヒンジ７で回動自在に連結されている。側面右枠の上部材４ａと背面枠の上部材６ａと側面左枠の上部材５ａはそれぞれヒンジ７で背面枠６ａと連結されている。上面枠の上部材８ａは回動部材１１を介して回動途中の状態である。【００２６】図３はゴミ収納箱の折り畳み時側面図を示している。正面右枠２と正面左枠３は背面枠６の中に収納されている状態である。折り畳み時の側面からみると側面枠５と背面枠６と上面枠８の厚さ分に折り畳まれているので正面枠の厚さ分だけ幅が狭くコンパクトに折り畳まれることになる。回動部材１１は背面枠６に木ねじで固着されて、回動軸受け部材１１は上面枠８に固着されて背面枠６の後ろに折り畳まれる。【００２７】図４はゴミ収納箱の側面左枠開き時の側面図を示している。
側面左枠の上部材５ａと側面左枠の左部材５ｂと側面左枠の右部材５ｃと側面左枠の下部材５ｄで角形のゴミ収納枠を形成している。背面枠６ｄはステンレス材またはアルミニューム合金製の薄型のＬ字型の形状をしている。
正面右枠２と正面左枠３のそれぞれの下部材２ｄと下部材３ｄが比較的に床面近くまで配置できるのでゴミの収納についても隙間を少なくできる。【００２８】図５はゴミ収納箱の使用時の側面図である。
上面枠８は回動部材１０と回動受け部材１１によりゴミ収納箱の上面に回動できるのでゴミの収納時に開閉できて上面からのゴミ投入に便利である。
尚、それぞれの枠で囲まれる枠内は網１２でゴミのはみだしを防止している。
本実施例は網であるが、薄板で枠内に囲うようにしてもよい。網の場合は樹脂製または金属製の比較的雨などに強いものが好ましい。網の実施例はゴミ収納箱の使用時の側面図に記載しているものを他の枠で囲まれる枠内に同様に用いている。
網の目の大きさは枠内にて異なるものを使用してもよい。つまり、低い位置の枠については小さめの目で小さなゴミのはみだしを防止してもよい。【００２９】図６から図９はゴミ収納箱の折り畳み開始時からゴミ収納箱の折り畳み完了時を示した図である。【００３０】図６はゴミ収納箱の正面枠折り畳み開始時の図であり、正面右枠２と正面左枠３の折り畳み開始を示している。ヒンジ７を介して正面右枠２と正面左枠３を先ずは側面右枠４と側面左枠５の内側へ折り畳む状態である。【００３１】図７はゴミ収納箱の正面枠を折り畳みした状態図である。正面右枠２と側面右枠４が重なるように折り畳まれ、同様に正面左枠３と側面左枠５が重なるように折り畳まれた状態を示している。【００３２】図８はゴミ収納箱の正面枠と側面枠を折り畳みの途中段階の図である。
背面枠６の方向へ正面右枠２と側面右枠４が折り畳まれている。同様に背面枠６の方向へ正面左枠３と側面左枠５が折り畳まれている。【００３３】図９はゴミ収納箱の折り畳み完了時の平面図である。正面右枠２と正面左枠３は折り畳まれたときに背面枠６内に収納されるように背面枠６よりも小さい枠として形成されている。従って、折り畳まれた時には背面枠６内に存在する。側面右枠４と側面左枠５は背面枠に収納されないで折り畳まれる。【００３４】図１０はゴミ収納箱の折り畳み時の正面図である。正面右枠の上部材２ａと正面左枠の上部材３ａが見えているが、他の部材は側面右枠４と側面左枠５の後ろ側に隠れて見えていない。背面枠６の上面枠６ａは側面左枠５側面右枠４の後ろに隠れて存在している。その下方に位置する正面右枠の上部材２ａと正面左枠の上部材３ａだけが前面に見えることになる。【００３５】図１１はゴミ収納箱の上面枠を背面枠に回動可能に取り付ける回動部材の平面図である。アルミ合金またはステンレス製の錆びに強い金属で形成されている。１０ａは円筒形上の突起であり、回動の軸となる。１０ｂは穴であり木ねじなどで回動部材を枠に取り付ける穴である。【００３６】図１２はゴミ収納箱の上面枠を背面枠に回動可能に取り付ける回動部材の側面図である。
平板の取り付け部材から円筒状に突起が突出している形状をして回動軸となる。【００３７】図１３はゴミ収納箱の背面枠に取り付ける回動軸の受け部材の平面図である。アルミ合金またはステンレス製の錆びに強い金属で形成されている。１１ａは回動軸が挿入される穴である。１１ｂは枠部材に取り付けるための穴である。【００３８】図１４はゴミ収納箱の背面枠に取り付ける回動軸の受け部材の側面図である。アルミ合金またはステンレス製の錆びに強い金属で形成されている。
平板上の板状で形成されているので狭い隙間に組み付けられるようにしている。
【符号の説明】
【００３９】２  正面右枠
２ａ  正面右枠の上部材
２ｂ  正面右枠の左部材
２ｃ  正面右枠の右部材
２ｄ  正面右枠の下部材
３  正面左枠
３ａ  正面左枠の上部材
３ｂ  正面左枠の左部材
３ｃ  正面左枠の右部材
３ｄ  正面左枠の下部材
４  側面右枠
４ａ  側面右枠の上部材
４ｂ  側面右枠の左部材
４ｃ  側面右枠の右部材
４ｄ  側面右枠の下部材
５  側面左枠
５ａ  側面左枠の上部材
５ｂ  側面左枠の左部材
５ｃ  側面左枠の右部材
５ｄ  側面左枠の下部材
６  背面枠
６ａ  背面枠の上部材
６ｂ  背面枠の右部材
６ｃ  背面枠の左部材
６ｄ  背面枠の下部材
７  ヒンジ
８  上面枠
８ａ  上面枠の前部材
８ｂ  上面枠の右部材
８ｃ  上面枠の左部材
８ｄ  上面枠の後部材
９  係止部材
１０  回動部材
１１  回動軸受け部材
１２  網
【図１】
0003192264.tif 000003
【図２】
0003192264.tif 000004
【図３】
0003192264.tif 000005
【図４】
0003192264.tif 000006
【図５】
0003192264.tif 000007
【図６】
0003192264.tif 000008
【図７】
0003192264.tif 000009
【図８】
0003192264.tif 000010
【図９】
0003192264.tif 000011
【図１０】
0003192264.tif 000012
【図１１】
0003192264.tif 000013
【図１２】
0003192264.tif 000014
【図１３】
0003192264.tif 000015
【図１４】
0003192264.tif 000016